(57)【要約】【課題】オイルクーラに供給される冷却水の温度上昇を好適に抑えることのできるウォータインレットハウジング及びオイルクーラ付きウォータインレットハウジングを提供する。【解決手段】ウォータインレットハウジング２０の内部に、ウォータポンプから吐出された冷却水が流れる冷却水吐出通路３２に連通した流路であって、オイルクーラの冷却水入口に連通する外部配管３５が接続される第１流路８０を形成する。また、ウォータインレットハウジング２０の内部に、ウォータポンプの吸入側流路に連通した流路であって、オイルクーラの冷却水出口に接続される第２流路を形成する。【選択図】図５
2009156156.tif 000002
【特許請求の範囲】
【請求項１】
水冷式内燃機関の機関本体に固定されるとともにその内部には冷却水流路が形成されたハウジングであって、冷却水入口及び冷却水出口を備えるオイルクーラが取り付けられるウォータインレットハウジングにおいて、
当該ウォータインレットハウジングの内部には、前記冷却水流路に連通した流路であって、前記オイルクーラの前記冷却水入口に連通する外部配管が接続される第１流路と、前記冷却水流路に連通した流路であって、前記オイルクーラの前記冷却水出口に接続される第２流路とが形成されている
ことを特徴とするウォータインレットハウジング。
【請求項２】
当該ウォータインレットハウジングの内部には、前記オイルクーラにオイルを導入する油路、及び前記オイルクーラから排出されたオイルが流れる油路が形成されている
請求項１に記載のウォータインレットハウジング。
【請求項３】
当該ウォータインレットハウジングには、ウォータポンプのポンプ室が形成されている
請求項１または２に記載のウォータインレットハウジング。
【請求項４】
前記ポンプ室の吐出側流路に前記第１流路は連通されており、前記ポンプ室の吸入側流路に前記第２流路は連通されている
請求項３に記載のウォータインレットハウジング。
【請求項５】
冷却水入口及び冷却水出口を備えるオイルクーラが請求項１〜４のいずれか１項に記載のウォータインレットハウジングに取り付けられており、前記冷却水入口及び前記第１流路が外部配管にて連通されている
ことを特徴とするオイルクーラ付きウォータインレットハウジング。
【発明の詳細な説明】
【技術分野】
【０００１】
この発明は、水冷式内燃機関に取り付けられるウォータインレットハウジング及びオイルクーラ付きウォータインレットハウジングに関する。
【背景技術】
【０００２】
水冷式の内燃機関では、ラジエータで冷却された冷却水が、機関本体に固定されたウォータインレットハウジングを介して機関内部に導入される。
他方、内燃機関の潤滑系には、オイルを冷却する水冷式のオイルクーラが設けられることがあり、こうしたオイルクーラに対して冷却水の供給及び排出を行うべく、例えば特許文献１に記載のものでは次のようにしている。
【０００３】
すなわち、オイルクーラに冷却水を供給する供給流路とオイルクーラから排出された冷却水が流れる排出流路とを上記ウォータインレットハウジングの内部に一体形成するようにしている。そして、そのウォータインレットハウジングにオイルクーラを取り付けることで、オイルクーラの冷却水入口と上記供給流路とが連通するとともに、オイルクーラの冷却水出口と上記排出流路とが連通するようにしている。
【特許文献１】特開２００２−１６８１４８号公報
【発明の開示】
【発明が解決しようとする課題】
【０００４】
ところで、上記特許文献１に記載のウォータインレットハウジングは、機関本体に固定されているため、内燃機関からの熱伝導によって同ハウジングの温度は高くなる。そのため、同ハウジングの内部に形成された上記供給流路内を流れる冷却水の温度は、同ハウジングへの流入前と比較して高くなりやすい。このように、オイルクーラに供給される冷却水の温度が高くなると、同冷却水とオイルとの温度差が小さくなるため、オイルから冷却水に移動する熱量は少なくなり、その結果、オイルクーラの冷却効率が低下してしまうおそれがある。
【０００５】
本発明は、こうした実情に鑑みてなされたものであって、その目的は、オイルクーラに供給される冷却水の温度上昇を好適に抑えることのできるウォータインレットハウジング及びオイルクーラ付きウォータインレットハウジングを提供することにある。
【課題を解決するための手段】
【０００６】
以下、上記目的を達成するための手段及びその作用効果について記載する。
請求項１に記載の発明は、水冷式内燃機関の機関本体に固定されるとともにその内部には冷却水流路が形成されたハウジングであって、冷却水入口及び冷却水出口を備えるオイルクーラが取り付けられるウォータインレットハウジングにおいて、当該ウォータインレットハウジングの内部には、前記冷却水流路に連通した流路であって、前記オイルクーラの前記冷却水入口に連通する外部配管が接続される第１流路と、前記冷却水流路に連通した流路であって、前記オイルクーラの前記冷却水出口に接続される第２流路とが形成されていることをその要旨とする。
【０００７】
同構成によれば、オイルクーラに冷却水を供給する供給流路が、上記外部配管と上記第１流路とで構成されるようになる。そのため、従来のように、ウォータインレットハウジングの内部にそうした供給流路全体を形成する場合と比較して、同ウォータインレットハウジング内での供給流路の長さを短くすることができる。従って、ウォータインレットハウジングから冷却水に移動する熱量を少なくすることができ、これにより、オイルクーラに供給される冷却水の温度上昇を好適に抑えることができるようになる。なお、同構成では、オイルクーラの冷却水入口に連通する外部配管が上記第１流路に接続されるため、同外部配管の長さや形状を適宜変更することにより、第１流路の形成位置は比較的自由に設定することが可能である。従って、ウォータインレットハウジング内の冷却水流路に連通される部位と外部配管が接続される部位との距離ができるだけ短くなるように第１流路を形成することが望ましい。
【０００８】
なお、同構成では、ウォータインレットハウジング内の冷却水流路に連通した流路であって、オイルクーラの冷却水出口に接続される第２流路をウォータインレットハウジングの内部に形成するようにしており、この第２流路を介して、オイルクーラから排出された冷却水が冷却水流路に戻される。従って、オイルクーラから排出された冷却水を冷却水流路に戻すための流路を外部配管にて形成する必要がなく、これにより部品点数や組み立て工数の低減、あるいはメンテナンス性の向上等を図ることも可能になる。
【０００９】
請求項２に記載の発明は、請求項１に記載の発明において、当該ウォータインレットハウジングの内部には、前記オイルクーラにオイルを導入する油路、及び前記オイルクーラから排出されたオイルが流れる油路が形成されていることをその要旨とする。
【００１０】
同構成によれば、オイルクーラにオイルを導入する油路及びオイルクーラから排出されたオイルが流れる油路を外部配管にて形成する必要がないため、部品点数や組み立て工数の低減、あるいはメンテナンス性の向上等を図ることができるようになる。
【００１１】
請求項３に記載の発明は、請求項１または２に記載の発明において、当該ウォータインレットハウジングには、ウォータポンプのポンプ室が形成されていることをその要旨とする。
【００１２】
同構成によれば、当該ウォータインレットハウジングにウォータポンプを取り付けることが可能になる。従って、ウォータインレットハウジングとウォータポンプとが別々に設けられる場合と比較して、ウォータポンプと上記第１流路との間の流路長を短くすることができ、これによりウォータポンプから第１流路までの間で発生する流路抵抗も小さくすることができる。そのため、第１流路に供給される冷却水の量を増大させることも可能になる。なお、第１流路に供給される冷却水の量を増大させると、冷却水が第１流路を通過するときの受熱時間が短くなる等の理由により、オイルクーラに供給される冷却水の温度上昇を抑えることができる。また、オイルクーラに供給される冷却水の量が増えることにより、同オイルクーラの冷却効率も高くなる。
【００１３】
請求項４に記載の発明は、請求項３に記載の発明において、前記ポンプ室の吐出側流路に前記第１流路は連通されており、前記ポンプ室の吸入側流路に前記第２流路は連通されていることをその要旨とする。
【００１４】
同構成によれば、ポンプ室からオイルクーラに向けて冷却水が圧送される一方、オイルクーラから排出される冷却水はポンプ室に吸入されるようになるため、オイルクーラにおける冷却水の循環量を好適に増大させることができるようになる。
【００１５】
請求項５に記載の発明は、冷却水入口及び冷却水出口を備えるオイルクーラが請求項１〜４のいずれか１項に記載のウォータインレットハウジングに取り付けられており、前記冷却水入口及び前記第１流路が外部配管にて連通されていることをその要旨とする。
【００１６】
同構成によれば、上述したように、ウォータインレットハウジングからオイルクーラに供給される冷却水の温度上昇を好適に抑えることができるため、オイルクーラの冷却効率を高めることができるようになる。
【発明を実施するための最良の形態】
【００１７】
以下、この発明にかかるウォータインレットハウジング及びオイルクーラ付きウォータインレットハウジングを具体化した一実施形態について、図１〜図７を参照して説明する。
【００１８】
図１は、本実施形態におけるウォータインレットハウジング２０（以下、ハウジング２０という）を水冷式内燃機関の機関本体を構成するシリンダブロック１０に固定した状態を示している。
【００１９】
この図１に示すように、ハウジング２０は、シリンダブロック１０（同図の右側に図示）の外壁に固定されている。このハウジング２０には、内燃機関の冷却水を利用して機関用のオイルを冷却する水冷式のオイルクーラ４０が取り付けられている。また、同ハウジング２０には、冷却水入口２５ａ（同図においてオイルクーラ４０の左側に図示）が設けられており、同冷却水入口２５ａは、冷却配管１１０を介してラジエータ５０に接続されている。
【００２０】
上記シリンダブロック１０には、機関用の冷却水が流れるウォータジャケット（図示略）、上記ハウジング２０からウォータジャケットに冷却水を供給する供給路２１、及びウォータジャケットから冷却水を取り出す取り出し口（図示略）等が形成されている。また、同シリンダブロック１０には、当該シリンダブロック１０の外部から同シリンダブロック１０の内部に形成されたメインギャラリに向けて機関用のオイルを導入する導入油路２３、及び同オイルをシリンダブロック１０の内部から外部に向けて取り出す取り出し油路２４等も形成されている。
【００２１】
ラジエータ５０で冷却された機関用の冷却水は、上記冷却配管１１０を介してハウジング２０内に導入される。ハウジング２０に導入された冷却水は、シリンダブロック１０に設けられた上記供給路２１を介してウォータジャケットに供給される。ウォータジャケットに供給された冷却水は、機関各部を冷却した後、上記取り出し口から取り出され、冷却配管１００を介してラジエータ５０に送られる。
【００２２】
シリンダブロック１０から上記取り出し油路２４を介して取り出されたオイルは、ハウジング２０内に形成された油路を介してオイルクーラ４０で冷却される。そして、オイルクーラ４０で冷却されたオイルは、ハウジング２０内に形成された油路を介して上記導入油路２３に導入され、その後メインギャラリに送られる。
【００２３】
次に、ハウジング２０の詳細構造について図２〜図７を参照しながら説明する。
図２は、図１に示す矢印Ｄ方向から見たハウジング２０の構造を、換言すればハウジング２０におけるシリンダブロック１０との固定面側の構造を示している。また、図３及び図４は、図２に示す矢印Ｅ方向から見たハウジング２０の構造を示しており、特に図３は、ウォータポンプが組み付けられた状態でのハウジング２０の構造を、図４は、ウォータポンプが組み付けられる前のハウジング２０の構造をそれぞれ示している。また、図５は、図２に示すＡ−Ａ線での断面図を、図６は、図１に示すＢ−Ｂ線での断面図を、図７は、図１に示すＣ−Ｃ線での断面図をそれぞれ示している。
【００２４】
図２に示すように、オイルクーラ４０は、ブラケット７０を介してハウジング２０に固定されている。なお、本実施形態では、ブラケット７０とハウジング２０とを別体で設けるようにしているが、一体形成してもよい。
【００２５】
ハウジング２０の側面（図２では右側の側面）には、ウォータポンプ３０が設けられている。このウォータポンプ３０は、プーリ及びベルト等を介して内燃機関のクランク軸に駆動連結されており、そのクランク軸の回転によって駆動される。ちなみに、クランク軸の回転によって駆動される機械式のウォータポンプのみならず、電動式のウォータポンプであってもよい。
【００２６】
図３に示すように、ウォータポンプ３０は、上記ベルトが巻掛けられるプーリ３０ａや同プーリ３０ａと一体回転するインペラ等で構成されており、プーリ３０ａは、ポンプカバー３０ｂに回転可能に軸支されている。
【００２７】
図４に示すように、ハウジング２０にあって、ウォータポンプ３０が取り付けられる側には、上記インペラが収納される円形状のポンプ室３１が形成されており、同ポンプ室３１の中心部には、上記冷却水入口２５ａに繋がる冷却水吸入通路２５が形成されている。また、ハウジング２０にあってポンプ室３１の外周には、当該ポンプ室３１に吸入された冷却水が吐出される冷却水吐出通路３２が形成されている。この冷却水吐出通路３２は、ポンプ室３１から同ポンプ室３１の径方向に延設された後、ハウジング２０の内部方向に進んで（図５を参照）、最終的には、先の図２に示す冷却水出口３２ａに接続されている。そしてこの冷却水出口３２ａが、シリンダブロック１０の上記供給路２１に接続される。
【００２８】
こうして構成されるハウジング２０では、ラジエータ５０で冷却された冷却水が上記冷却水入口２５ａから吸入され、上記冷却水吸入通路２５を介してポンプ室３１に導入される。そして、ポンプ室３１から吐出された冷却水は、上記冷却水吐出通路３２を介して上記冷却水出口３２ａから吐出される。この冷却水出口３２ａから吐出された冷却水は、上記供給路２１を介してシリンダブロック１０のウォータジャケットに導入される。このように本実施形態では、ハウジング２０内に形成された上記冷却水吸入通路２５、ポンプ室３１、及び冷却水吐出通路３２によって主たる冷却水流路が形成されている。なお、本実施形態では、上記冷却水吸入通路２５が、ポンプ室の上記吸入側流路を構成している。また、上記冷却水吐出通路３２が、ポンプ室の上記吐出側流路を構成している。
【００２９】
次に、ハウジング２０に設けられた油路について説明する。
先の図２に示すように、ハウジング２０の下方には、同ハウジング２０にオイルを導入するオイル入口２７ａと、同ハウジング２０内からオイルを排出するオイル出口２８ａとが形成されている。オイル入口２７ａは、シリンダブロック１０の上記取り出し油路２４に接続され、オイル出口２８ａは、シリンダブロック１０の上記導入油路２３に接続される。
【００３０】
図６に示すように、ハウジング２０の内部には、第１導入油路２７及び第１排出油路２８が並設されており、ブラケット７０の内部には、上記第１導入油路２７に連通する第２導入油路５７と、上記第１排出油路２８に連通する第２排出油路５８とが並設されている。
【００３１】
第１導入油路２７の両端のうちの一方の端部は上記オイル入口２７ａに連通されており、その両端のうちの他方の端部は、上記第２導入油路５７に連通されている。この第２導入油路５７は、上記オイルクーラ４０のオイル入口に接続されるオイル排出部５７ｂに連通されている。
【００３２】
第１排出油路２８の両端のうちの一方の端部は上記オイル出口２８ａに連通されており、その両端のうちの他方の端部は、上記第２排出油路５８に連通されている。この第２排出油路５８は、上記オイルクーラ４０のオイル出口に接続されるオイル取り込み口５８ｂに連通されている。
【００３３】
こうして構成されるハウジング２０では、シリンダブロック１０の上記取り出し油路２４に接続されるオイル入口２７ａからオイルが導入され、その導入されたオイルは、第１導入油路２７、第２導入油路５７、及びオイル排出部５７ｂを介してオイルクーラ４０に供給される。オイルクーラ４０で冷却されたオイルは、オイル取り込み口５８ｂ、第２排出油路５８、及び第１排出油路２８を介してオイル出口２８ａから排出される。このオイル出口２８ａから排出されたオイルは、シリンダブロック１０の上記導入油路２３に導入されて、機関各部に送油される。
【００３４】
ところで、本実施形態におけるハウジング２０は、シリンダブロック１０といった機関本体に固定されているため、内燃機関からの熱伝導によって同ハウジング２０の温度は高くなる。そのため、上述した従来のごとく、オイルクーラ４０に冷却水を供給する流路全体をハウジング２０の内部に形成すると、その供給流路内を流れる冷却水の温度は、ハウジング２０への流入前と比較して高くなりやすい。このように、オイルクーラ４０に供給される冷却水の温度が高くなると、冷却水とオイルとの温度差が小さくなるため、オイルから冷却水に移動する熱量は少なくなり、その結果、オイルクーラ４０の冷却効率が低下してしまうおそれがある。
【００３５】
そこで、本実施形態にかかるハウジング２０では、オイルクーラ４０に冷却水を供給する流路として、以下に説明する構造を備えることにより、オイルクーラ４０に供給される冷却水の温度上昇を抑えるようにしている。
【００３６】
先の図５に示すように、ハウジング２０の内部に形成された上記冷却水吐出通路３２には、第１流路８０が連通されている。この第１流路８０の両端のうちの一方の端部は冷却水吐出通路３２に開口されており、その両端のうちの他方の端部は、ハウジング２０にあってシリンダブロック１０が固定される側（図５の左側）の面に開口されている。第１流路８０にあって、シリンダブロック１０が固定される側（図５の左側）の面に開口された部位には、ハウジング２０の外部に設けられた中空の外部配管３５の端部である第１接続部３５ａが接続されている。なお、同第１流路８０は、ハウジング２０にあってシリンダブロック１０の固定面に対してほぼ垂直に形成されている。これにより、同第１流路８０にあって上記冷却水吐出通路３２に連通する部位と外部配管３５が接続される部位との間の距離、換言すれば第１流路８０の流路長は極力短くなるように同第１流路８０は形成されている。
【００３７】
先の図２に示すように、その外部配管３５の他方の端部である第２接続部３５ｂは、ブラケット７０に設けられた冷却水入口７０ａに接続されており、この冷却水入口７０ａは、ブラケット７０内に形成された冷却水流路を介して、オイルクーラ４０の冷却水入口４０ａに連通されている。
【００３８】
図７に示すように、オイルクーラ４０の冷却水出口４０ｂは、ハウジング２０内に形成された第２流路９０に連通されており、この第２流路９０は、上記冷却水吸入通路２５に連通されている。
【００３９】
こうして構成されるハウジング２０では、冷却水吐出通路３２を流れる冷却水の一部が上記第１流路８０に流れ込み、外部配管３５を介してオイルクーラ４０に供給される。そして、オイルクーラ４０にて熱交換された冷却水は、同オイルクーラ４０から排出された後、上記第２流路９０を介して冷却水吸入通路２５に戻される。
【００４０】
以上説明した本実施形態によれば、以下の作用効果が得られるようになる。
（１）オイルクーラ４０に冷却水を供給する供給流路が、外部配管３５と第１流路８０とで構成されるようにした。そのため、従来のように、ウォータインレットハウジングの内部にそうした供給流路全体を形成する場合と比較して、本実施形態では、ハウジング２０内での供給流路の長さを短くすることができる。従って、ハウジング２０から冷却水に移動する熱量を少なくすることができ、これにより、オイルクーラ４０に供給される冷却水の温度上昇を好適に抑えることができるようになる。
【００４１】
（２）オイルクーラ４０の冷却水入口４０ａに連通される外部配管３５を第１流路８０に接続するようにした。そのため、外部配管３５の長さや形状を適宜変更することにより、第１流路８０の形成位置は比較的自由に設定することが可能であり、本実施形態では、第１流路８０の流路長が極力短くなるように同第１流路８０を形成している。従って、冷却水が第１流路８０内を通過するときのハウジング２０からの受熱量を極力抑えることができ、もってオイルクーラ４０に供給される冷却水の温度上昇を好適に抑えることができるようになる。
【００４２】
（３）ハウジング２０内の冷却水吸入通路２５に連通した流路であって、オイルクーラ４０の冷却水出口４０ｂに接続される第２流路９０をハウジング２０の内部に形成するようにしており、この第２流路９０を介して、オイルクーラ４０から排出された冷却水が冷却水吸入通路２５に戻されるようにした。従って、オイルクーラ４０から排出された冷却水を冷却水吸入通路２５に戻すための流路を外部配管にて形成する必要がなく、これにより部品点数や組み立て工数の低減、あるいはメンテナンス性の向上等を図ることも可能になる。
【００４３】
（４）オイルクーラ４０にオイルを導入する第１導入油路２７及びオイルクーラ４０から排出されたオイルが流れる第１排出油路２８をハウジング２０の内部に形成するようにした。また、オイルクーラ４０にオイルを導入する油路であって、上記第１導入油路２７に連通される第２導入油路５７、及びオイルクーラ４０から排出されたオイルが流れる油路であって、上記第１排出油路２８に連通される第２排出油路５８をブラケット７０の内部に形成するようにした。そのため、第１導入油路２７、第１排出油路２８、第２導入油路５７、及び第２排出油路５８を外部配管にて形成する必要がなく、部品点数や組み立て工数の低減、あるいはメンテナンス性の向上等を図ることができるようになる。
【００４４】
（５）ハウジング２０に、ウォータポンプ３０のポンプ室３１を形成するようにした。そのため、ハウジング２０にウォータポンプ３０を取り付けることが可能になる。従って、ハウジング２０とウォータポンプ３０とが別々に設けられる場合と比較して、ウォータポンプ３０と上記第１流路８０との間の冷却水吐出通路３２の長さを短くすることができ、これによりウォータポンプ３０から第１流路８０までの間で発生する流路抵抗も小さくすることができる。そのため、第１流路８０に供給される冷却水の量を増大させることも可能になる。このように第１流路８０に供給される冷却水の量が増大すると、冷却水が第１流路８０を通過するときの受熱時間が短くなる等の理由により、オイルクーラ４０に供給される冷却水の温度上昇を抑えることができる。また、オイルクーラ４０に供給される冷却水の量が増えることにより、同オイルクーラ４０の冷却効率も高くなる。
【００４５】
（６）ポンプ室３１に連通された冷却水吐出通路３２に第１流路８０を連通させるとともに、ポンプ室３１に連通された冷却水吸入通路２５に第２流路９０を連通させるようにした。従って、ポンプ室３１からオイルクーラ４０に向けて冷却水が圧送される一方、オイルクーラ４０から排出される冷却水はポンプ室３１に吸入されるようになる。そのため、オイルクーラ４０における冷却水の循環量を好適に増大させることができるようになる。
【００４６】
（７）本実施形態にかかるオイルクーラ付きウォータインレットハウジングでは、冷却水入口４０ａ及び冷却水出口４０ｂを備えるオイルクーラ４０が上記ハウジング２０に取り付けられており、その冷却水入口４０ａとハウジング２０に形成された上記第１流路８０とが外部配管３５にて連通されるようにした。本実施形態にかかるハウジング２０では、上述したように、オイルクーラ４０に冷却水を供給する供給流路のうち、ハウジング２０内に形成される流路の長さが短いため、同ハウジング２０から冷却水に移動する熱量が少なくなる。従って、本実施形態のオイルクーラ付きウォータインレットハウジングでは、ハウジング２０からオイルクーラ４０に供給される冷却水の温度上昇を好適に抑えることができ、オイルクーラ４０の冷却効率を高めることができるようになる。
【００４７】
尚、上記実施形態は、これを適宜変更した以下の形態にて実施することもできる。
・ブラケット７０を介してオイルクーラ４０をハウジング２０に固定するようにしたが、こうしたブラケット７０を介することなく、オイルクーラ４０をハウジング２０に直接固定するようにしてもよい。この場合には、上記第２導入油路５７、オイル排出部５７ｂ、第２排出油路５８、及びオイル取り込み口５８ｂをハウジング２０の内部に形成するようにすればよい。
【００４８】
・第１流路８０を、ハウジング２０にあってシリンダブロック１０の固定面に対してほぼ垂直に形成するようにしたが、この他の態様で第１流路８０を形成するようにしてもよい。ただし、この場合にも、第１流路８０にあって上記冷却水吐出通路３２に連通する部位と、外部配管３５が接続される部位との距離、換言すれば第１流路８０の流路長が極力短くなるように同第１流路８０を形成することが望ましい。
【００４９】
・上記ハウジング２０は、ウォータポンプ３０及びオイルクーラ４０を備えるものであった。この他、ウォータインレットハウジングには、オイルクーラのみが備えられており、ウォータポンプとウォータインレットハウジングとは別体に設けられた構成であっても本発明は同様に適用することができる。この場合でも上記（１）〜（４）、（６）、及び（７）に記載の効果を得ることができる。
【００５０】
・第１流路８０を冷却水吐出通路３２に連通させるとともに、第２流路９０を冷却水吸入通路２５に連通させるようにしたが、第１流路８０及び第２流路９０を共に、ウォータポンプ３０の吐出側に連通された冷却水通路に連通させるようにしてもよい。また、第１流路８０及び第２流路９０を共に、ウォータポンプ３０の吸入側に連通された冷却水通路に連通させるようにしてもよい。この場合でも上記（１）〜（５）、及び（７）に記載の効果を得ることができる。
【００５１】
・第１導入油路２７及び第１排出油路２８をハウジング２０内に形成された内部配管とし、第２導入油路５７及び第２排出油路５８をブラケット７０の内部に形成された内部配管とするようにした。この他、第１導入油路２７、第１排出油路２８、第２導入油路５７、及び第２排出油路５８のうちの少なくとも１つを外部配管にて構成するようにしてもよい。
【図面の簡単な説明】
【００５２】
【図１】この発明にかかるウォータインレットハウジング及びオイルクーラ付きウォータインレットハウジングを具体化した一実施形態であって、シリンダブロックに固定されたウォータインレットハウジングの構造を示す外観図。
【図２】図１に示す矢印Ｄ方向から見たウォータインレットハウジングの構造を示す外観図。
【図３】図２に示す矢印Ｅ方向から見たウォータインレットハウジングの構造であって、ウォータポンプが組み付けられた状態でのウォータインレットハウジングの構造を示す外観図。
【図４】図２に示す矢印Ｅ方向から見たウォータインレットハウジングの構造であって、ウォータポンプが組み付けられる前のウォータインレットハウジングの構造を示す外観図。
【図５】図２に示すＡ−Ａ線での断面図。
【図６】図１に示すＢ−Ｂ線での断面図。
【図７】図１に示すＣ−Ｃ線での断面図。
【符号の説明】
【００５３】
１０…シリンダブロック、２０…ウォータインレットハウジング（ハウジング）、２１…供給路、２３…（シリンダブロックの）導入油路、２４…（シリンダブロックの）取り出し油路、２５…冷却水吸入通路、２５ａ…（ハウジングの）冷却水入口、２７…第１導入油路、２７ａ…オイル入口、２８…第１排出油路、２８ａ…オイル出口、３０…ウォータポンプ、３０ａ…プーリ、３０ｂ…ポンプカバー、３１…ポンプ室、３２…冷却水吐出通路、３２ａ…（ハウジングの）冷却水出口、３５…外部配管、３５ａ…第１接続部、３５ｂ…第２接続部、４０…オイルクーラ、４０ａ…（オイルクーラの）冷却水入口、４０ｂ…（オイルクーラの）冷却水出口、５０…ラジエータ、５７…第２導入油路、５７ｂ…オイル排出部、５８…第２排出油路、５８ｂ…オイル取り込み口、７０…ブラケット、７０ａ…（ブラケットの）冷却水入口、８０…第１流路、９０…第２流路、１００、１１０…冷却配管。
【図１】
2009156156.tif 000003
【図２】
2009156156.tif 000004
【図３】
2009156156.tif 000005
【図４】
2009156156.tif 000006
【図５】
2009156156.tif 000007
【図６】
2009156156.tif 000008
【図７】
2009156156.tif 000009